(57)【要約】      （修正有）【課題】筐体の開閉が容易で、かつ簡易な施錠手段を有する信号変換装置を提供する。【解決手段】光ファイバーケーブルで伝送される光信号と電気信号との変換を行う信号変換装置１であって、側壁部に形成されたヒンジ８で開閉可能に連結されてなる第１筐体５および第２筐体６と、前記第１筐体５の容器内側に形成された第１係止爪１５と、前記第２筐体６の容器内側に形成され、前記第１係止爪１５と係合して第１筐体５および第２筐体６の閉止状態を保持する第２係止爪２４と、前記第１筐体５の側壁部に前記軸部が回転可能に嵌め込まれてなるロックキー７を有し、前記ロックキー７は、所定の解除位置に合致した状態で筐体内側方向に摺動可能であり、前記解除位置で前記軸部が押圧されると、該軸部が前記第１係止爪１５を押圧し、前記第１係止爪１５および前記第２係止爪２４の係合を解除する。【選択図】図１
2005294514.tif 000002
【特許請求の範囲】
【請求項１】
光ファイバーケーブルと、前記光ファイバーケーブルで伝送される光信号と電気信号との変換を行う信号変換装置本体とを収納する信号変換装置であって、
基底面の外縁が側壁部で囲繞された半割容器状にそれぞれ形成され、前記側壁部に形成されたヒンジで開閉可能に連結されてなる第１筐体および第２筐体と、
前記第１筐体の容器内側に形成された第１係止爪と、
前記第２筐体の容器内側に形成され、前記第１係止爪と係合して第１筐体および第２筐体の閉止状態を保持する第２係止爪と、
軸部の基端側にフランジ部が形成され、前記第１筐体の側壁部に前記軸部が回転可能に嵌め込まれてなるロックキーと、を有し、
前記ロックキーは、前記フランジ部の回転位置が所定の解除位置に合致した状態で筐体内側方向に摺動可能であり、前記解除位置で前記軸部が押圧されると、該軸部が前記第１係止爪を押圧し、前記第１係止爪および前記第２係止爪の係合を解除することを特徴とする信号変換装置。
【請求項２】
前記フランジ部の軸部形成面には、前記軸部の延長方向に沿った案内溝が形成され、
前記第１筐体の側壁部には、前記解除位置で前記案内溝と係合する案内突起が形成されていることを特徴とする請求項１に記載の信号変換装置。
【請求項３】
前記第１係止爪は、前記第２係止爪と係合する爪部と、
前記爪部の他端側に接続され、筐体内側方向に摺動した前記軸部に押圧されて前記第２係止爪および前記爪部の係合を解除する解除片と、
前記爪部の一端側に接続され、前記解除片を押圧した前記軸部を筐体外側方向に付勢する弾性変形部と、を有することを特徴とする請求項１または請求項２に記載の信号変換装置。
【請求項４】
前記軸部は軸直角方向に突出する突起を有し、
前記第２筐体は、前記解除位置合致時の前記突起の位置に対応して立設され、筐体閉止時に前記突起と当接して前記ロックキーを前記解除位置から回動させるロック用リブを容器内側に有し、
前記ロック用リブには、筐体閉止時における前記突起の筐体内側方向の移動を許容する切り欠きが形成されていることを特徴とする請求項１から請求項３のいずれか１項に記載の信号変換装置。
【請求項５】
前記切り欠きは筐体開放時に前記解除位置に合致した前記突起と当接し、前記ロックキーを前記解除位置から回動させることを特徴とする請求項４に記載の信号変換装置。
【請求項６】
前記切り欠きは、リブ基端側から前記解除位置までの正転方向に前記突起が回動可能な形状に設定され、筐体閉止時に前記ロックキーを逆転方向に回動させた場合には前記突起と前記ロック用リブとが干渉することを特徴とする請求項４または請求項５に記載の信号変換装置。
【請求項７】
前記第２筐体は、前記軸部を隔てて前記ロック用リブと対向する位置に立設され、筐体閉止時に前記突起と当接して前記ロックキーの前記正転方向の回動に抵抗する可撓リブをさらに有することを特徴とする請求項６に記載の信号変換装置。
【請求項８】
前記第１筐体の側壁部には前記ヒンジの形成位置に対向して係合穴が開口され、
前記第２筐体の側壁部には前記係合穴と係合する補助係止爪が形成されてなることを特徴とする請求項１から請求項７のいずれか１項に記載の信号変換装置。
【請求項９】
基底面の外縁が側壁部で囲繞された半割容器状にそれぞれ形成され、前記側壁部に形成されたヒンジで開閉可能に連結されてなる第１筐体および第２筐体と、
前記第２筐体に収納され、光信号と電気信号との変換を行う信号変換装置本体と、
前記信号変換装置本体に一端が接続された光ファイバーケーブルと、
前記第１筐体の基底面に形成され、前記光ファイバーケーブルを巻回可能なケーブル余長処理部と、
前記第２筐体の基底面に形成され、筐体開放時において前記光ファイバーケーブルの他端側を前記ケーブル余長処理部に略Ｓ字状の経路で案内するケーブルガイドと、
前記第１筐体または前記第２筐体のいずれか一方のヒンジ側側壁部に形成され、筐体閉止時に前記光ファイバーケーブルの挟み込みを防止する折り返し部と、を有することを特徴とする信号変換装置。
【請求項１０】
前記ケーブル余長処理部には外周方向に突出する引掛爪が複数形成され、
前記第１筐体の基底面は、前記ケーブル余長処理部の外周に立設され、内周方向に突出する引掛爪を備えた案内壁をさらに有することを特徴とする請求項９に記載の信号変換装置。
【請求項１１】
前記ケーブル余長処理部は前記第１筐体の基底面から着脱可能であることを特徴とする請求項９または請求項１０に記載の信号変換装置。
【請求項１２】
前記第１筐体または前記第２筐体のヒンジ側側壁部には縦置き用脚部が形成され、
前記光ファイバーケーブルの他端側は、前記第１筐体の前記ケーブル余長処理部からヒンジ側側壁部に沿って筐体外部に延長してなることを特徴とする請求項９から請求項１１のいずれか１項に記載の信号変換装置。
【請求項１３】
前記第２筐体は、前記側壁部に形成される電源コード用スリットと、前記電源コード用スリットから挿入された電源コードを折曲保持して、前記電源コードの引き抜き方向の外力に抵抗する電源コード保持リブとをさらに有することを特徴とする請求項９から請求項１２のいずれか１項に記載の信号変換装置。
【請求項１４】
前記第１筐体または前記第２筐体の基底面には、三角形状に配置された３つの壁掛け穴が開口されてなることを特徴とする請求項９から請求項１３のいずれか１項に記載の信号変換装置。
【請求項１５】
前記第１筐体の容器内側に形成された第１係止爪と、
前記第２筐体の容器内側に形成され、前記第１係止爪と係合して第１筐体および第２筐体の閉止状態を保持する第２係止爪と、
軸部の基端側にフランジ部が形成され、前記第１筐体の側壁部に前記軸部が回転可能に嵌め込まれてなるロックキーと、を有し、
前記ロックキーは、前記フランジ部の回転位置が所定の解除位置に合致した状態で筐体内側方向に摺動可能であり、前記解除位置で前記軸部が押圧されると、該軸部が前記第１係止爪を押圧し、前記第１係止爪および前記第２係止爪の係合を解除することを特徴とする請求項９から請求項１４のいずれか１項に記載の信号変換装置。
【請求項１６】
前記フランジ部の軸部形成面には、前記軸部の延長方向に沿った案内溝が形成され、
前記第１筐体の側壁部には、前記解除位置で前記案内溝と係合する案内突起が形成されていることを特徴とする請求項１５に記載の信号変換装置。
【請求項１７】
前記第１係止爪は、前記第２係止爪と係合する爪部と、
前記爪部の他端側に接続され、筐体内側方向に摺動した前記軸部に押圧されて前記第２係止爪および前記爪部の係合を解除する解除片と、
前記爪部の一端側に接続され、前記解除片を押圧した前記軸部を筐体外側方向に付勢する弾性変形部と、を有することを特徴とする請求項１５または請求項１６に記載の信号変換装置。
【請求項１８】
前記軸部は軸直角方向に突出する突起を有し、
前記第２筐体は、前記解除位置合致時の前記突起の位置に対応して立設され、筐体閉止時に前記突起と当接して前記ロックキーを前記解除位置から回動させるロック用リブを容器内側に有し、
前記ロック用リブには、筐体閉止時における前記突起の筐体内側方向の移動を許容する切り欠きが形成されていることを特徴とする請求項１５から請求項１７のいずれか１項に記載の信号変換装置。
【請求項１９】
前記切り欠きは筐体開放時に前記解除位置に合致した前記突起と当接し、前記ロックキーを前記解除位置から回動させることを特徴とする請求項１８に記載の信号変換装置。
【請求項２０】
前記切り欠きは、リブ基端側から前記解除位置までの正転方向に前記突起が回動可能な形状に設定され、筐体閉止時に前記ロックキーを逆転方向に回動させた場合には前記突起と前記ロック用リブとが干渉することを特徴とする請求項１８または請求項１９に記載の信号変換装置。
【請求項２１】
前記第２筐体は、前記軸部を隔てて前記ロック用リブと対向する位置に立設され、筐体閉止時に前記突起と当接して前記ロックキーの前記正転方向の回動に抵抗する可撓リブをさらに有することを特徴とする請求項２０に記載の信号変換装置。
【請求項２２】
前記第１筐体の側壁部には前記ヒンジの形成位置に対向して係合穴が開口され、
前記第２筐体の側壁部には前記係合穴と係合する補助係止爪が形成されてなることを特徴とする請求項１５から請求項２１のいずれか１項に記載の信号変換装置。
【発明の詳細な説明】
【技術分野】
【０００１】
本発明は、光ファイバーケーブルを通じて伝送される光信号と、電気信号との変換を行う信号変換装置に関する。
【背景技術】
【０００２】
従来から、光信号と電気信号との信号変換を行う信号変換装置の筐体として、特許文献１および特許文献２などが公知である。近年の一般ユーザへのＦＴＴＨサービスの普及に伴って、これらの信号変換装置は家庭などに設置される場合が増加している。
【特許文献１】特開２００２−２５８０６２号公報
【特許文献２】特開２００４−６３９０９号公報
【発明の開示】
【発明が解決しようとする課題】
【０００３】
これらの信号変換装置は、設置業者の作業性を考慮すれば筐体の開閉が容易に行えることが望ましいが、設置後にユーザーが興味本位で信号変換装置を分解して故障するおそれも増加するのでその対策が望まれている。
また、筐体をヒンジで連結したいわゆるブックタイプ筐体の信号変換装置では、筐体閉止時に光ファイバーケーブルが挟み込まれて破損するおそれがあった。
【０００４】
本発明は上記従来技術の課題を解決するためにされたものであり、その目的は筐体の開閉が容易で、かつ簡易な施錠手段を有する信号変換装置を提供することである。
また本発明の他の目的は、筐体閉止時に光ファイバーケーブルの挟み込みを防止した信号変換装置を提供することである。
【課題を解決するための手段】
【０００５】
（請求項１の発明）
請求項１の発明は、光ファイバーケーブルと、前記光ファイバーケーブルで伝送される光信号と電気信号との変換を行う信号変換装置本体とを収納する信号変換装置であって、基底面の外縁が側壁部で囲繞された半割容器状にそれぞれ形成され、前記側壁部に形成されたヒンジで開閉可能に連結されてなる第１筐体および第２筐体と、前記第１筐体の容器内側に形成された第１係止爪と、前記第２筐体の容器内側に形成され、前記第１係止爪と係合して第１筐体および第２筐体の閉止状態を保持する第２係止爪と、軸部の基端側にフランジ部が形成され、前記第１筐体の側壁部に前記軸部が回転可能に嵌め込まれてなるロックキーと、を有し、前記ロックキーは、前記フランジ部の回転位置が所定の解除位置に合致した状態で筐体内側方向に摺動可能であり、前記解除位置で前記軸部が押圧されると、該軸部が前記第１係止爪を押圧し、前記第１係止爪および前記第２係止爪の係合を解除することを特徴とする。
【０００６】
請求項１の発明では、筐体を開放する場合にはロックキーを解除位置に合致させて押圧することで、第１係合爪と第２係合爪との係合が解除できる。
（請求項２の発明）
請求項２の発明は、請求項１の発明において、前記フランジ部の軸部形成面には、前記軸部の延長方向に沿った案内溝が形成され、前記第１筐体の側壁部には、前記解除位置で前記案内溝と係合する案内突起が形成されていることを特徴とする。
【０００７】
請求項２の発明では、ロックキーは解除位置以外ではフランジ部と案内突起とが干渉して筐体内側方向への移動が規制される。一方、解除位置の案内突起とフランジ部の案内溝とが合致した状態では、ロックキーは筐体内側方向に摺動可能となる。
（請求項３の発明）
請求項３の発明は、請求項１または請求項２の発明において、前記第１係止爪は、前記第２係止爪と係合する爪部と、前記爪部の他端側に接続され、筐体内側方向に摺動した前記軸部に押圧されて前記第２係止爪および前記爪部の係合を解除する解除片と、前記爪部の一端側に接続され、前記解除片を押圧した前記軸部を筐体外側方向に付勢する弾性変形部と、を有することを特徴とする。
【０００８】
請求項３の発明では、ロックキーの軸部が解除片を押圧することで第１係止爪の爪部と第２係止爪との係合が解除される。一方、ロックキーの軸部は弾性変形部に付勢されて筐体外側方向に復動する。
（請求項４の発明）
請求項４の発明は、請求項１から請求項３の発明において、前記軸部は軸直角方向に突出する突起を有し、前記第２筐体は、前記解除位置合致時の前記突起の位置に対応して立設され、筐体閉止時に前記突起と当接して前記ロックキーを前記解除位置から回動させるロック用リブを容器内側に有し、前記ロック用リブには、筐体閉止時における前記突起の筐体内側方向の移動を許容する切り欠きが形成されていることを特徴とする。
【０００９】
請求項４の発明では、筐体閉止時にロック用リブが突起に当接してロックキーを解除位置から回動させるので、ロックキーのかけ忘れ防止（解除位置からの移動）が自動的に行われる。
（請求項５の発明）
請求項５の発明は、請求項４の発明において、前記切り欠きは筐体開放時に前記解除位置に合致した前記突起と当接し、前記ロックキーを前記解除位置から回動させることを特徴とする。
【００１０】
請求項５の発明では、筐体開放時にロック用リブの切り欠きが突起を引っ掛けてロックキーを解除位置から回動させるので、ロックキーのかけ忘れ防止（解除位置からの移動）が自動的に行われる。
（請求項６の発明）
請求項６の発明は、請求項４または請求項５の発明において、前記切り欠きは、リブ基端側から前記解除位置までの正転方向に前記突起が回動可能な形状に設定され、筐体閉止時に前記ロックキーを逆転方向に回動させた場合には前記突起と前記ロック用リブとが干渉することを特徴とする。
【００１１】
請求項６の発明では、正転方向でロックキーを回動させた場合に突起が解除位置に移動できるようになっている。一方、逆転方向でロックキーを回動させた場合には、突起がロック用リブの先端と干渉する。
（請求項７の発明）
請求項７の発明は、請求項６の発明において、前記第２筐体は、前記軸部を隔てて前記ロック用リブと対向する位置に立設され、筐体閉止時に前記突起と当接して前記ロックキーの前記正転方向の回動に抵抗する可撓リブをさらに有することを特徴とする。
【００１２】
請求項７の発明では、可撓リブがロックキーの正転方向の回動に抵抗するので、ロックキーが微振動などによって正転方向に回動して解除位置に合致することはない。
（請求項８の発明）
請求項８の発明は、請求項１から請求項７の発明において、前記第１筐体の側壁部には前記ヒンジの形成位置に対向して係合穴が開口され、前記第２筐体の側壁部には前記係合穴と係合する補助係止爪が形成されてなることを特徴とする。
【００１３】
請求項８の発明では、係合穴と補助係止爪との係合によっても、第１筐体および第２筐体の閉止状態が保持される。
（請求項９の発明）
請求項９の発明は、基底面の外縁が側壁部で囲繞された半割容器状にそれぞれ形成され、前記側壁部に形成されたヒンジで開閉可能に連結されてなる第１筐体および第２筐体と、前記第２筐体に収納され、光信号と電気信号との変換を行う信号変換装置本体と、前記信号変換装置本体に一端が接続された光ファイバーケーブルと、前記第１筐体の基底面に形成され、前記光ファイバーケーブルを巻回可能なケーブル余長処理部と、前記第２筐体の基底面に形成され、筐体開放時において前記光ファイバーケーブルの他端側を前記ケーブル余長処理部に略Ｓ字状の経路で案内するケーブルガイドと、前記第１筐体または前記第２筐体のいずれか一方のヒンジ側側壁部に形成され、筐体閉止時に前記光ファイバーケーブルの挟み込みを防止する折り返し部と、を有することを特徴とする。
【００１４】
請求項９の発明では、光ファイバーケーブルは、第２筐体の信号変換装置本体からケーブルガイドに沿って第１筐体のケーブル余長処理部まで案内され、光信号が通過可能な所定曲率で略Ｓ字状に配索される。筐体閉止時にはヒンジ側側壁部に形成された折り返し部によって光ファイバーケーブルが筐体内に押し込まれる。
（請求項１０の発明）
請求項１０の発明は、請求項９の発明において、前記ケーブル余長処理部には外周方向に突出する引掛爪が複数形成され、前記第１筐体の基底面は、前記ケーブル余長処理部の外周に立設され、内周方向に突出する引掛爪を備えた案内壁をさらに有することを特徴とする。
【００１５】
請求項１０の発明では、巻回された光ファイバーケーブルはケーブル余長処理部の引掛爪に掛け止め保持される。仮に光ファイバーケーブルが撓んだ場合でも引掛爪を備えた案内壁で光ファイバーケーブルが掛け止め保持される。
（請求項１１の発明）
請求項１１の発明は、請求項９または請求項１０の発明において、前記ケーブル余長処理部は前記第１筐体の基底面から着脱可能であることを特徴とする。
【００１６】
請求項１１の発明では、配索時にケーブル余長処理部を第１筐体から取り外して光ファイバーケーブルを巻回することができる。
（請求項１２の発明）
請求項１２の発明は、請求項９から請求項１１の発明において、前記第１筐体または前記第２筐体のヒンジ側側壁部には縦置き用脚部が形成され、前記光ファイバーケーブルの他端側は、前記第１筐体の前記ケーブル余長処理部からヒンジ側側壁部に沿って筐体外部に延長してなることを特徴とする。
【００１７】
請求項１２の発明では、光ファイバーケーブルが縦置き時に下側から引き出されているので、信号変換装置を起こす際のケーブルの捻れが最小限に抑制されて信号変換装置が転倒し難くなる。
（請求項１３の発明）
請求項１３の発明は、請求項９から請求項１２の発明において、前記第２筐体は、前記側壁部に形成される電源コード用スリットと、前記電源コード用スリットから挿入された電源コードを折曲保持して、前記電源コードの引き抜き方向の外力に抵抗する電源コード保持リブとをさらに有することを特徴とする。
【００１８】
請求項１３の発明では、電源コード保持リブに挟み込まれた電源コードは折曲保持されて引き抜き方向の外力に抵抗し、電源コードが信号変換装置本体から脱落し難くなっている。
（請求項１４の発明）
請求項１４の発明は、請求項９から請求項１３の発明において、前記第１筐体または前記第２筐体の基底面には、三角形状に配置された３つの壁掛け穴が開口されてなることを特徴とする。
【００１９】
請求項１４の発明では壁掛け穴にネジを挿通することで、壁等に信号変換装置を壁掛け配置できる。
（請求項１５の発明）
請求項１５の発明は、請求項９から請求項１４の発明において、前記第１筐体の容器内側に形成された第１係止爪と、前記第２筐体の容器内側に形成され、前記第１係止爪と係合して第１筐体および第２筐体の閉止状態を保持する第２係止爪と、軸部の基端側にフランジ部が形成され、前記第１筐体の側壁部に前記軸部が回転可能に嵌め込まれてなるロックキーと、を有し、前記ロックキーは、前記フランジ部の回転位置が所定の解除位置に合致した状態で筐体内側方向に摺動可能であり、前記解除位置で前記軸部が押圧されると、該軸部が前記第１係止爪を押圧し、前記第１係止爪および前記第２係止爪の係合を解除することを特徴とする。
【００２０】
請求項１５の発明では、請求項９から請求項１４の効果に加えて、請求項１の効果を得ることができる。
（請求項１６の発明）
請求項１６の発明は、請求項１５の発明において、前記フランジ部の軸部形成面には、前記軸部の延長方向に沿った案内溝が形成され、前記第１筐体の側壁部には、前記解除位置で前記案内溝と係合する案内突起が形成されていることを特徴とする。
【００２１】
請求項１６の発明では、請求項１５の効果に加えて、請求項２の効果を得ることができる。
（請求項１７の発明）
請求項１７の発明は、請求項１５または請求項１６の発明において、前記第１係止爪は、前記第２係止爪と係合する爪部と、前記爪部の他端側に接続され、筐体内側方向に摺動した前記軸部に押圧されて前記第２係止爪および前記爪部の係合を解除する解除片と、前記爪部の一端側に接続され、前記解除片を押圧した前記軸部を筐体外側方向に付勢する弾性変形部と、を有することを特徴とする。
【００２２】
請求項１７の発明では、請求項１５または請求項１６の効果に加えて、請求項３の効果を得ることができる。
（請求項１８の発明）
請求項１８の発明は、請求項１５から請求項１７の発明において、前記軸部は軸直角方向に突出する突起を有し、前記第２筐体は、前記解除位置合致時の前記突起の位置に対応して立設され、筐体閉止時に前記突起と当接して前記ロックキーを前記解除位置から回動させるロック用リブを容器内側に有し、前記ロック用リブには、筐体閉止時における前記突起の筐体内側方向の移動を許容する切り欠きが形成されていることを特徴とする。
【００２３】
請求項１８の発明では、請求項１５から請求項１７の効果に加えて、請求項４の効果を得ることができる。
（請求項１９の発明）
請求項１９の発明は、請求項１８の発明において、前記切り欠きは筐体開放時に前記解除位置に合致した前記突起と当接し、前記ロックキーを前記解除位置から回動させることを特徴とする。
【００２４】
請求項１９の発明では、請求項１８の効果に加えて、請求項５の効果を得ることができる。
（請求項２０の発明）
請求項２０の発明は、請求項１８または請求項１９の発明において、前記切り欠きは、リブ基端側から前記解除位置までの正転方向に前記突起が回動可能な形状に設定され、筐体閉止時に前記ロックキーを逆転方向に回動させた場合には前記突起と前記ロック用リブとが干渉することを特徴とする。
【００２５】
請求項２０の発明では、請求項１８または請求項１９の効果に加えて、請求項６の効果を得ることができる。
（請求項２１の発明）
請求項２１の発明は、請求項２０の発明において、前記第２筐体は、前記軸部を隔てて前記ロック用リブと対向する位置に立設され、筐体閉止時に前記突起と当接して前記ロックキーの前記正転方向の回動に抵抗する可撓リブをさらに有することを特徴とする。
【００２６】
請求項２１の発明では、請求項２０の効果に加えて、請求項７の効果を得ることができる。
（請求項２２の発明）
請求項２２の発明は、請求項１５から請求項２１の発明において、前記第１筐体の側壁部には前記ヒンジの形成位置に対向して係合穴が開口され、前記第２筐体の側壁部には前記係合穴と係合する補助係止爪が形成されてなることを特徴とする。
【００２７】
請求項２２の発明では、請求項１５から請求項２１の効果に加えて、請求項８の効果を得ることができる。
【発明の効果】
【００２８】
本発明では、筐体がロックキーによる施錠手段を備えているので、設置後にユーザーによって筐体が容易に開放されることはない。
また本発明では、第１筐体および第２筐体に跨って配索された光ファイバーケーブルは、筐体閉止時に折り返し部によって筐体内に押し込まれるので、光ファイバーケーブルの破損のおそれが抑制される。
【発明を実施するための最良の形態】
【００２９】
以下、図面に基づいて本発明の実施形態を詳細に説明する（請求項１〜２２の信号変換装置に対応する）。
（信号変換装置の構成）
本実施形態の信号変換装置１は、光信号と電気信号との変換を行う信号変換装置本体２と、信号変換装置本体２に一端が接続された光ファイバーケーブル３と、信号変換装置本体２の裏面に取り付けられる保護カバー４と、これらを収容する第１筐体５および第２筐体６と、第１筐体５に嵌め込まれるロックキー７とから構成されている。
【００３０】
第１筐体５および第２筐体６は、長方形をなす基底面５ａ，６ａと、下端側が基底面５ａ，６ａの外縁から垂直に立ち上がった側壁部５ｂ，６ｂとをそれぞれ有している。各筐体５，６の側壁部５ｂ，６ｂは基底面５ａ，６ａの外縁を囲繞するように形成され、各筐体５，６の全体形状はそれぞれ半割容器状をなしている。また、第１筐体５および第２筐体６は基底面５ａ，６ａが略同一形状に形成され、かつ基底面長辺側の側壁部５ｂ，６ｂがヒンジ８で開閉可能に連結されている。
【００３１】
そして、ヒンジ８を閉じた状態では第１筐体５および第２筐体６の側壁部５ｂ，６ｂの上端面が合致し、筐体５，６が閉止して薄箱形の容器を構成することとなる。なお、第１筐体５のヒンジ取付側の側壁部の上端は容器外側に向けて折り返されており（５ｃ）、筐体閉止時に光ファイバーケーブル３が筐体に挟み込まれないようになっている。
図３に示すように、第１筐体５および第２筐体６の容器外側には、縦置き用脚部としての脚部用リブ９およびＵ字状リブ１０が形成されている。脚部用リブ９は、第１筐体５のヒンジ取付側の側壁部５ｂに形成され、側壁部５ｂの上端側から下端側に延長するように形成されている。Ｕ字状リブ１０は第２筐体６のヒンジ取付側の側壁部６ｂに形成され、側壁部の下端側に凸となるＵ字状に形成されている。Ｕ字状リブ１０の位置は脚部用リブ９の位置に対応しており、ヒンジ８を開いた状態では脚部用リブ９がＵ字状リブ１０の中央に嵌り込むように設定されている。また、ヒンジ８を閉じた状態では脚部用リブ９およびＵ字状リブ１０が縦置き用脚部として機能するようになっている。
【００３２】
第１筐体５でヒンジ取付側から離間した１の隅部の近傍には、基底面短辺側の側壁部５ｂにロックキー７の取付基部１１が形成されている。取付基部１１は側壁部５ｂに対して軸線が垂直をなす円筒形状に形成されている。取付基部１１の奥行側（容器内側）には側壁部と略水平な内壁１１ａが形成され、内壁１１ａの中央には円形の開口が設けられている。取付基部１１の内周面には、ロックキー７の解除位置を規定する案内突起１２が形成されている（図７参照）。
【００３３】
ここで、図７、図８を参照しつつロックキー７の構成を説明する。ロックキー７は、太径部の先端側に細径部を有する円柱状の軸部７ａと、軸部７ａの太径部基端側に形成された円盤状のフランジ部７ｂと、フランジ部７ｂの軸部形成面から突出する２つの抜け止め爪７ｃとから構成されている。軸部７ａはフランジ部７ｂの中心から垂直に立設しており、基端部側に軸直角方向に突出する鍵状突起１３を備えている。鍵状突起１３は軸中心を隔てて直線状となるように軸部７ａの両側に形成されている。一方の鍵状突起１３は他方の鍵状突起１３よりもその先端側が突出するように形成されている。
【００３４】
また、フランジ部７ｂの軸部形成面には、第１筐体５の案内突起１２に係合する案内溝１４が外縁部に１箇所形成されている。なお、フランジ部７ｂの軸部形成面の背面側には溝７ｄが形成され、コイン等を溝７ｄに押し当ててロックキー７を回動させ易くできるようになっている。
ロックキー７は第１筐体５の取付基部１１に容器外側から嵌め込まれており、軸部７ａおよび鍵状突起１３が内壁１１ａの開口を通って容器内側に位置している。そして、抜け止め爪７ｃが取付基部１１の内壁１１ａと噛み合ってロックキー７が回動可能に抜け止めされている。また、ロックキー７は解除位置以外ではフランジ部７ｂと案内突起１２とが干渉して筐体内側方向への移動が規制される。一方、案内突起１２とフランジ部７ｂの案内溝１４とが解除位置で合致した状態では、ロックキー７は筐体内側方向に摺動可能となっている。
【００３５】
図７に示すように、第１筐体５の容器内側には、ロックキー７の軸部７ａの軸線上に第１係止爪１５が配置されている。第１係止爪１５は、基底面５ａから垂直に立ち上がった基部１５ａと、基部１５ａの先端が取付基部側にＵ字状に折り返されて形成される弾性変形部１５ｂと、弾性変形部１５ｂの端部に形成され、基底面長辺方向に外向きの爪部１５ｃと、爪部１５ｃの下側に形成される解除片１５ｄとから構成されている。解除片１５ｄの下端側には軸部７ａの細径部に対応する切り欠きが形成され、解除片１５ｄの切り欠きに軸部７ａの細径部および太径部の段付部分が当接するようになっている（図９参照）。
【００３６】
また、第１筐体５の基底面短辺側の側壁部５ｂには、取付基部１１の位置と略対角線上に光ファイバーケーブル３を内部に引き込むためのケーブル用スリット１６が形成されている。さらに、ヒンジ取付側と対向する基底面長辺側の側壁部５ｂには係合穴１７が形成されている。そして、係合穴１７の付近の側壁部５ｂの上端には、筐体閉止時に第２筐体６の側壁部６ｂを案内するガイド片１８が形成されている。
【００３７】
さらに図４、図５に示すように、第１筐体５の容器内側には略円筒形状のケーブル余長処理部１９が基底面５ａに着脱可能に取り付けられている。ケーブル余長処理部１９は、第１筐体５の基底面５ａに設けられたフック２０と位置決めリブ２１によって第１筐体５に固定される。また、ケーブル余長処理部１９の上端側には、外周方向に突出する引掛爪１９ａが複数形成されている。ケーブル余長処理部１９の外周側には、内周方向に突出する引掛爪２２ａを備えた案内壁２２が略楕円形をなすように立設されている。なお、第１筐体５には、３つの壁掛け穴２３が二等辺三角形状の位置関係で基底面５ａに開口されている。
【００３８】
一方、図１３に示すように、第２筐体６の容器内部には、筐体閉止時に第１係止爪１５に対応する位置に第２係止爪２４が形成されている。第２係止爪２４は第２筐体６の基底面６ａから垂直に立ち上がっており、その先端に基底面長辺方向に内向きに突出する爪部２４ａが形成されている。
第２係止爪２４の背面側（爪部２４ａの向きと反対側）には、それぞれ基底面６ａから垂直に立ち上がったロック用リブ２５、可撓リブ２６および押し上げ片２６ａが形成されている。ロック用リブ２５および可撓リブ２６は、筐体閉止時においてロックキー７の軸部７ａの位置を隔てて対向するように配置されている。そして、ロックキー７の非押圧時には、回動する鍵状突起１３がロック用リブ２５および可撓リブ２６と当接するように設定されている（図１４参照）。
【００３９】
押し上げ片２６ａは筐体閉止時にロックキー７および取付基部１１に対応する位置に配置されている。押し上げ片２６ａの先端は階段状に一部切り欠かれており、この切り欠きが取付基部１１と合致するように設定されている。また、押し上げ片２６ａの突出部は、筐体閉止時に内壁１１ａの開口まで突出するように設定され、突出部先端の切り欠き側が面取されている。そのため、ロックキー７の押圧時には、ロックキー７の抜け止め爪７ｃが押し上げ片２６ａの面取部分と当接することとなる（図１０参照）。
【００４０】
ここで、ロック用リブ２５の先端付近には軸部側に切り欠き２５ａが形成されている。この切り欠き２５ａは筐体閉止時における鍵状突起１３の解除位置に対応しており、ロックキー７が解除位置に合致した状態では、鍵状突起１３がロック用リブ２５と干渉することなく筐体内側方向に移動できるようになっている。この切り欠き２５ａは下方のリブ基端側に向けて大きく切り欠かれており、リブ基端側から解除位置への正転方向にロックキー７を回動させた場合のみ、鍵状突起１３が解除位置まで移動できるようになっている。一方、リブ先端側から解除位置への逆転方向にロックキー７を回動させた場合には、鍵状突起１３がロック用リブ２５の先端と干渉することとなる（図１７参照）。
【００４１】
可撓リブ２６の先端は弾性変形により軸部直角方向に移動可能となっており、筐体閉止時においてリブ先端がロックキー７の鍵状突起１３と当接し、ロックキー７の正転方向の回動に抵抗するようになっている（図１８参照）。
図１に示すように、第２筐体６の基底面６ａには、信号変換装置本体２の取付位置を規制するガイドリブ２７と、信号変換装置本体２および保護カバー４を固定するためのフック２８が立設されており、信号変換装置本体２を第２筐体６に固定できるようになっている。なお、信号変換装置本体２は光ケーブル用コネクタ２ａが基底面６ａの内側に向かうように固定されている。
【００４２】
また、図１に示すように、第２筐体６の基底面６ａには、信号変換装置本体２のＬＥＤ（図示を省略する）の位置に対応して複数の開口が設けられている。該開口にはそれぞれライトパイプ２９が取り付けられており、信号変換装置本体２の状態に応じて点灯するＬＥＤの光がライトパイプ２９を介して筐体の外部に導かれるようになっている。
さらに、第２筐体６の基底面６ａには、ケーブルガイドに相当する内周壁３０および外周壁３１が立設されている（図４参照）。内周壁３０および外周壁３１は基底面６ａの外縁側に凸となる相似形の円弧状に配置され、内周壁３０および外周壁３１の間隔が光ファイバーケーブル３の直径より若干大きくなるように設定されている。したがって、内周壁３０および外周壁３１の間に配置された光ファイバーケーブル３は、所定曲率の半円状に折り返した状態で第２筐体６に保持されることとなる。
【００４３】
また、図２１で手前側に位置する第２筐体６の基底面短辺の側壁部６ａには、信号変換装置本体２の電気信号用コネクタ２ｂに対応するスリットや電源コード用スリット３２が形成されている。この電源コード用スリット３２の近傍には、電源コード３３を挟み込んで折曲保持するための電源コード保持リブ３４が第２筐体６の基底面６ａから立設している（図２２参照）。さらに、第１筐体６のヒンジ取付側と対向する基底面長辺側の側壁部６ｂには、係合穴１７に対応する位置に補助係止爪３５が突設されている。
【００４４】
（信号変換装置の作用、効果）
本実施形態の信号変換装置１は上記のように構成され、以下、その作用、効果を信号変換装置１の組立工程および筐体開放工程に沿って説明する。
まず、第１筐体５および第２筐体６のヒンジ８を開いて筐体開放状態とし、第２筐体６に信号変換装置本体２および保護カバー４を取り付ける。そして、信号変換装置本体２に電源プラグ３３ａを挿入し、電源コード３３を電源コード保持リブ３４に挟み込んで電源コード用スリット３２から外部に引き出す。図２１に示すように、電源コード３３は電源コード保持リブ３４で引き抜き方向の外力に抵抗できるように折曲保持されているので、電源プラグ３３ａが信号変換装置本体２から容易に脱落することはない。
【００４５】
次に、第１筐体５および第２筐体６に光ファイバーケーブル３を配索して、光ファイバーケーブル３の一端を信号変換装置本体２に接続する。また、信号変換装置１を壁掛け配置する場合には第１筐体の壁掛け穴２３にネジ３６を挿通し、壁等に信号変換装置１を固定する（図２３参照）。なお、壁掛け配置の際には２箇所の壁掛け穴２３でネジ止めを行うようにしてもよい。
【００４６】
ここで、光ファイバーケーブル３は信号変換装置本体２からケーブルガイド３０，３１の一端側に導かれ、ケーブルガイド３０，３１に沿って所定曲率の半円状をなして折り返される。そして、光ファイバーケーブル３は第１筐体５および第２筐体６のヒンジ取付側の側壁部５ｂ，６ｂを跨いで略Ｓ字状の経路でケーブル余長処理部１９に案内される。そのため、光ファイバーケーブル３は光信号が通過可能な所定曲率で略Ｓ字状に配索され、光ファイバーケーブル３を筐体内にコンパクトにまとめることができる。光ファイバーケーブル３はケーブル余長処理部１９に巻回されてその長さが調節され、光ファイバーケーブル３の他端はヒンジ取付側の側壁部５ｂに沿ってケーブル用スリット１６から外部に引き出される。
【００４７】
また、光ファイバーケーブル３の配索時にはケーブル余長処理部１９を第１筐体５から取り外して巻回することで、作業者が配索作業を容易に行うことができる。さらに、巻回された光ファイバーケーブル３はケーブル余長処理部１９の引掛爪１９ａに掛け止め保持される。仮に光ファイバーケーブル３が撓んだ場合でも引掛爪２２ａを備えた案内壁２２で光ファイバーケーブル３が掛け止め保持され、光ファイバーケーブル３が筐体内でばらけることはない。
【００４８】
そして、第１筐体５および第２筐体６のヒンジ８を閉じて筐体閉止状態とし、信号変換装置１の組立が完了する。ここで、筐体閉止時には、筐体５，６間に跨って配索された光ファイバーケーブル３が第１筐体５の側壁部５ｂの折り返し部分（５ｃ）によって内側に押し込まれるので、光ファイバーケーブル３が筐体に挟み込まれることはない。
また、筐体閉止時には第１係止爪１５の爪部１５ｃと第２係止爪２４の爪部２４ａとが係合して筐体閉止状態を保持する。ここで、作業者が筐体を閉止する際には、第２筐体６のロック用リブ２５と鍵状突起１３との当接によってロックキー７が解除位置から回動する（図１５参照）。そのため、ロックのかけ忘れによって第１係止爪１５および第２係止爪２４の係合が直ちに解除されることはない。
【００４９】
なお、筐体閉止時には、第１筐体５の係合穴１７に第２筐体６の補助係止爪３５が係合するので、第１筐体５および第２筐体６がさらに強固に係合される。
さらに図１９に示すように、本実施形態では、ケーブル用スリット１６がヒンジ取付側寄りに位置し、光ファイバーケーブル３の他端側はヒンジ取付側の側壁部５ｂに沿って外部に引き出されている。そのため、ヒンジ取付側の側壁部５ｂ、６ｂに形成された縦置き用脚部９，１０を下側にして信号変換装置１を縦置きする場合にはケーブルの捻れによる転倒が起こり難くなっている。すなわち、本実施形態では、光ファイバーケーブル３が縦置き時に下側から引き出されているので、信号変換装置１を起こす際のケーブルの捻れが最小限に抑制される。なお、図２０に示すように、光ファイバーケーブル３が縦置き時に上側から引き出されている場合には光ファイバーケーブル３に大きな捻れが生じ、ケーブルを被覆する外皮の反発力で信号変換装置１ａが転倒し易くなる。
【００５０】
一方、ヒンジ８を開いて筐体５，６を開放する場合には、まず作業者は第１筐体の係合穴に工具等を挿入して、係合穴１７と補助係止爪３５との係合を解除する。そして、作業者はロックキー７を正転方向に回動させて、ロックキー７の案内溝１４を解除位置の案内突起１２に合致させる。
ここで、ロックキー７を逆転方向に回動させた場合には、鍵状突起１３がロック用リブ２５の先端と干渉するのでロックキー７を解除位置に合致させることはできない（図１７参照）。また、第２筐体６の可撓リブ２６はロックキー７の正転方向の回動に抵抗するので、正転方向に所定以上の外力がかからない場合にはロックキー７が回動することはない（図１８参照）。したがって、微振動などによって第１係止爪１５および第２係止爪２４の係合が自然に解除されるおそれは著しく抑制される。
【００５１】
次に、作業者は解除位置のロックキー７を筐体内側に押し込む。これにより、ロックキー７の軸部７ａが解除片１５ｄを押圧して爪部１５ｃが基部１５ａに接近し、第１係止爪１５および第２係止爪２４の係合が解除される。また、ロックキー７の抜け止め爪７ｃは押し上げ片２６ａの面取部分に案内されて押し上げ片２６ａの下側に潜り込み、第２筐体６を筐体開放方向に付勢する。これにより、第２筐体６が押し上げられて、第１筐体５および第２筐体６が再度閉止しないようになる（図１０、図１１参照）。
【００５２】
そして、解除片１５ｄを押圧したロックキー７は弾性変形部１５ｂの復元力によって筐体外側方向に付勢されて元の位置に戻る。このとき、爪部１５ｃは第２係止爪２４の爪部２４ａをさらに押し上げる（図１２参照）。なお、筐体開放時に筐体外側に押し戻されたロックキー７が解除位置に合致していても、ロック用リブ２５の切り欠き２５ａが鍵状突起１３を引っ掛けて移動させることでロックキー７が解除位置から回動する（図１６参照）。
【００５３】
上記の工程によって作業者はヒンジ８を開いて筐体を開放できる。本実施形態の信号変換装置１では筐体が２箇所の係合部で係合され、かつ一方の係合部はロックキー７による施錠手段を備えているので、閉止された筐体が自然に開放されることはない。
【産業上の利用可能性】
【００５４】
本発明は、光ファイバーケーブルの余長処理部を筐体内部に有する信号変換装置に適用できる。
【図面の簡単な説明】
【００５５】
【図１】実施形態の信号変換装置の分解斜視図
【図２】図１の組立状態を示す斜視図
【図３】筐体閉止時の信号変換装置の斜視図
【図４】光ファイバーケーブルの配索状態を示す斜視図
【図５】第１筐体の側壁部を一部切り欠いた状態の斜視図
【図６】図５においてケーブル余長処理部を取り外した状態を示す図
【図７】第１筐体の取付基部近傍の拡大斜視図
【図８】ロックキーの斜視図
【図９】第１筐体にロックキーを取り付けた状態を示す縦断面図
【図１０】筐体閉止時におけるロックキー近傍の構造を示す縦断面図
【図１１】ロックキー押圧時におけるロックキー近傍の構造を示す縦断面図
【図１２】ロックキー押圧後におけるロックキー近傍の構造を示す縦断面図
【図１３】第２筐体の第２係止爪近傍の拡大斜視図
【図１４】ロック用リブおよび可撓リブとロックキーとの位置関係を示す平面図
【図１５】筐体閉止時にロック用リブと突起とが当接する状態を示す図
【図１６】筐体開放時に切り欠きに突起が引っ掛かる状態を示す図
【図１７】筐体閉止時にロックキーを逆転方向に回動させた場合を示す図
【図１８】筐体閉止時にロックキーを正転方向に回動させた場合を示す図
【図１９】ヒンジ取付側の側壁部を下にして信号変換装置を縦置きする状態を示す図
【図２０】ヒンジ取付側の側壁部を上にして信号変換装置を縦置きする状態を示す図
【図２１】電源プラグの取付状態を示す斜視図
【図２２】電源プラグの取付状態を示す平面図
【図２３】信号変換装置を壁掛け配置する一例を示した図
【符号の説明】
【００５６】
１，１ａ  信号変換装置
２  信号変換装置本体
２ａ  光ケーブル用コネクタ
２ｂ  電気信号用コネクタ
３  光ファイバーケーブル
４  保護カバー
５  第１筐体
５ａ  基底面
５ｂ  側壁部
５ｃ  折り返し部
６  第２筐体
６ａ  基底面
６ｂ  側壁部
７  ロックキー
７ａ  軸部
７ｂ  フランジ部
７ｃ  抜け止め爪
７ｄ  溝
８  ヒンジ
９  脚部用リブ（縦置き用脚部）
１０  Ｕ字状リブ（縦置き用脚部）
１１  取付基部
１１ａ  内壁
１２  案内突起
１３  鍵状突起
１４  案内溝
１５  第１係止爪
１５ａ  基部
１５ｂ  弾性変形部
１５ｃ  爪部
１５ｄ  解除片
１６  ケーブル用スリット
１７  係合穴
１８  ガイド片
１９  ケーブル余長処理部
１９ａ  引掛爪
２０  フック
２１  位置決めリブ
２２  案内壁
２２ａ  引掛爪
２３  壁掛け穴
２４  第２係止爪
２４ａ  爪部
２５  ロック用リブ
２５ａ  切り欠き
２６  可撓リブ
２６ａ  押し上げ片
２７  ガイドリブ
２８  フック
２９  ライトパイプ
３０  内周壁（ケーブルガイド）
３１  外周壁（ケーブルガイド）
３２  電源コード用スリット
３３  電源コード
３３ａ  電源プラグ
３４  電源コード保持リブ
３５  補助係止爪
３６  ネジ
【図１】
2005294514.tif 000003
【図２】
2005294514.tif 000004
【図３】
2005294514.tif 000005
【図４】
2005294514.tif 000006
【図５】
2005294514.tif 000007
【図６】
2005294514.tif 000008
【図７】
2005294514.tif 000009
【図８】
2005294514.tif 000010
【図９】
2005294514.tif 000011
【図１０】
2005294514.tif 000012
【図１１】
2005294514.tif 000013
【図１２】
2005294514.tif 000014
【図１３】
2005294514.tif 000015
【図１４】
2005294514.tif 000016
【図１５】
2005294514.tif 000017
【図１６】
2005294514.tif 000018
【図１７】
2005294514.tif 000019
【図１８】
2005294514.tif 000020
【図１９】
2005294514.tif 000021
【図２０】
2005294514.tif 000022
【図２１】
2005294514.tif 000023
【図２２】
2005294514.tif 000024
【図２３】
2005294514.tif 000025